(57)【要約】【課題】  歯の間の屑を除去でき、歯糸を更新できその使用量をコントロールできる歯糸固定具を提供する。【解決手段】  歯糸固定具は主体１、つめ車４、自在カバー２、カバー用孔２１、固定端２２、ネジ２３、バネ２４、歯糸コイル３、つめ片５、押止ブロック６及び糸切り片７を含む。主体１内部の前端にある半開放円形窪み１１の内部は固定軸１２、軸貫通孔１２１、糸出孔１Ａ、糸出溝１Ｄ及び主体側面孔を有し、主体１の中は糸切り片収容窪み１３とつめ車台１４とを有し、つめ車台１４は支援孔１５及び円弧形溝１６を有し、カバー用溝１８の右側に延びている固定台１７の端面は貫通孔１Ｃと固定孔１７Ａとを有し、主体１の末端に延びている歯糸台１０は糸溝１０Ａ、窪み１０Ｂ及び突出ピン１０Ｃを有する。半開放円形窪み１１に収容される歯糸コイル３と、主体１の末端にある歯糸台１０とによれば、歯の間の屑を除去でき且つ歯糸を更新できる。【選択図】  図１
0003104916.tif 000002
【実用新案登録請求の範囲】
【請求項１】
円弧形の主体と、自在なつめ車と、自在カバーと、カバー用孔と、固定端と、ネジと、バネと、歯糸コイルと、つめ片と、押止ブロックと、糸切り片とを備える歯糸固定具において、
主体内部の前端は半開放円形窪みを有し、前記半開放円形窪みの内部は固定軸と、軸貫通孔と、糸出孔と、糸出溝と、主体側面孔とを有し、主体の中は糸切り片収容窪みと、つめ車台とを有し、前記つめ車台はその中に支援孔を有し、その左側に円弧形溝を有し、カバー用溝の右側には固定台が延び、前記固定台の端面は貫通孔と、固定孔とを有し、前記主体の末端にはコ字形の歯糸台が延び、前記歯糸台はその外縁に糸溝を有し、その両側の底端にそれぞれ窪みを有し、その一側面に突出ピンを有し、前記主体の内部にある半開放円形窪みに収容される歯糸コイルと、前記主体の末端にあるコ字形の歯糸台とにより、歯の間に挟まれる屑を除去可能であり、且つ歯糸を更新可能であることを特徴とする歯糸固定具。
【請求項２】
前記半開放円形窪みは、その開放な外側に自在カバーが設けられ、前記自在カバーはネジ及びバネにより固定軸に固定され、且つ一側にある固定端によってカバー用溝に嵌めて固定されることにより、その一端が開け自在な状態であり、
前記つめ車台にはつめ車が固定され、前記つめ車の前後端に切り溝と突出ピンとが別々に設けられ、前記つめ車は突出ピンによってネジでつめ車台の支援孔に固定され、
前記つめ車は、つめ片がその一側に合い、円形孔が開けられている前記つめ片が前記円形孔によってネジで円弧形溝に固定され、前記つめ片がつめ車に当接することにより、つめ車は間欠状態を呈し、
前記固定台は、その内側にぴったりと合う押止ブロックが設けられ、前記押止ブロックは円形孔と貫通孔とを有し、前記押止ブロックは円形孔によってリベットで固定台にある円形孔に固定され、旋回自在な状態であり、
前記糸切り片収容窪みには糸切り片が設けられ、前記糸切り片には円形孔が開けられ、前記糸切り片は円形孔によってネジで前記糸切り片収容窪みにロックされることを特徴とする請求項１に記載の歯糸固定具。
【考案の詳細な説明】
【技術分野】
【０００１】
本考案は、歯糸ケースと歯糸ロッドとの機能を一体化した歯糸固定具に係り、特に、歯の間に挟まれる料理屑を除去でき、且つ歯糸を自由に更新でき、歯糸の使用量を有効にコントロールでき、構成が簡単で使用方法が便利である歯糸固定具に関するものである。
【背景技術】
【０００２】
食事後に、歯糸を使用し歯の間に挟まれる料理屑を除去することが日常生活の一部であるが、いま、市販されている歯糸は歯糸ケースと歯糸ロッドとに分けられ、歯糸ケースを使用するときには、歯糸を所望の長さに引き出して、ケースの側面にある切断具によって切断した後、両手により歯糸を引っ張って歯の間に挟まれる料理屑を除去する。このとき、両手が口に入ることが必要なので、細菌が口に侵入し易く、且つ歯糸の引き出す長さをコントロールし難いので、無駄になり、なお、内側にある歯隙間に使用すると、操作が順調ではないので、料理屑の除去が難しい。また、歯糸ロッドの使用は簡単であるが、糸が破断し易く、特に歯糸ロッドの材質が樹脂であり、使用後に捨てると環境保全に優しくない。
【考案の開示】
【考案が解決しようとする課題】
【０００３】
本考案の目的は、歯糸ケースと歯糸ロッドとの機能を一体化し、歯の間に挟まれる料理屑を除去でき、且つ歯糸を自由に更新でき、歯糸の使用量を有効にコントロールでき、構成が簡単で使用方法が便利である歯糸固定具を提供することにある。
【課題を解決するための手段】
【０００４】
上記目的を達成するためになされた本考案は、主に、円弧形主体と、自在なつめ車と、自在カバーと、カバー用孔と、固定端と、ネジと、バネと、歯糸コイルと、つめ片と、押止ブロックと、糸切り片とを含む歯糸固定具において、前記主体内部の前端は半開放円形窪みを有し、前記半開放円形窪みの内部は固定軸と、軸貫通孔と、糸出孔と、糸出溝と、主体側面孔とを有し、前記主体の中は糸切り片収容窪みと、つめ車台とを有し、前記つめ車台はその中に支援孔を有し、その左側に円弧形溝を有し、カバー用溝の右側には固定台が延びており、前記固定台の端面は貫通孔と、固定孔とを有し、また、前記主体の末端にはコ字形の歯糸台が延びており、前記歯糸台はその外縁に糸溝を有し、その両側の底端にそれぞれ窪みを有し、その一側面に突出ピンを有し、特に、前記円弧形主体の内部にある半開放円形窪みに収容される歯糸コイルと、前記円弧形主体の末端にあるコ字形の歯糸台とによれば、歯の間に挟まれる屑を除去でき、且つ歯糸を更新することもできることを特徴とする歯糸固定具であることを要旨としている。
【０００５】
また本考案は、前記半開放円形窪みは、その開放な外側に自在カバーが設けてあり、前記自在カバーはネジ及びバネにより固定軸に固定され、且つ一側にある固定端によってカバー用溝に嵌めて固定されるので、その一端が開け自在な状態であり、前記つめ車台にはつめ車が固定され、前記つめ車の前後端に切り溝と突出ピンとが別々に設けてあり、前記つめ車は突出ピンによってネジでつめ車台の支援孔に固定され、前記つめ車は、つめ片がその一側に合い、円形孔が開けてある前記つめ片は前記円形孔によってネジで円弧形溝に固定され、前記つめ片がつめ車に当接するので、つめ車は間欠状態を呈し、前記固定台は、その内側にぴったりと合う押止ブロックが設けてあり、前記押止ブロックには円形孔と貫通孔とを有し、前記押止ブロックは円形孔によってリベットで固定台にある円形孔に固定され、旋回自在な状態であり、前記糸切り片収容窪みには糸切り片が設けてあり、前記糸切り片には円形孔が開けてあり、前記糸切り片は前記円形孔によってネジで前記糸切り片収容窪みにロックされることを特徴とする請求項１に記載の歯糸固定具であることを要旨としている。
【０００６】
本考案によれば、次のような効果がある。
（イ）歯糸ケースと歯糸ロッドとの機能を一体化にし、歯の間に挟まれる料理屑を除去でき、且つ歯糸を自由に更新でき、歯糸の使用量を有効にコントロールできる。
（ロ）構成が簡単で使用方法が便利であり、且つつめ車と押止ブロックとの設計により、歯糸の引張強度が調整できるようになり、歯糸が破断し難くて、使用が快適になる。
【０００７】
（ハ）多機能なものであり、携帯し易くて損壊し難いので、環境保全に優しい。
【考案を実施するための最良の形態】
【０００８】
以下、添付図面を参照して本考案の好適な実施例を詳細に説明する。
図１は、本考案の一実施例に係る歯糸固定具の分解斜視図である。本実施例に係る歯糸固定具は、主に、円弧形主体１と、自在なつめ車４と、自在カバー２と、カバー用孔２１と、固定端２２と、ネジ２３と、バネ２４と、歯糸コイル３と、つめ片５と、押止ブロック６と、糸切り片７とを含む。前記主体１内部の前端は半開放円形窪み１１を有し、前記半開放円形窪み１１の内部は固定軸１２と、軸貫通孔１２１と、糸出孔１Ａと、糸出溝１Ｄと、主体側面孔１Ｂとを有し、前記主体１の中は糸切り片収容窪み１３と、つめ車台１４とを有し、前記つめ車台１４はその中に支援孔１５を有し、その左側に円弧形溝１６を有し、カバー用溝１８の右側には固定台１７が延びており、前記固定台１７の端面は貫通孔１Ｃと、固定孔１７Ａとを有し、また、前記主体１の末端にはコ字形の歯糸台１０が延びており、前記歯糸台１０はその外縁に糸溝１０Ａを有し、その両側の底端にそれぞれ窪み１０Ｂを有し、その一側面に突出ピン１０Ｃを有する。
【０００９】
図２は、本考案の一実施例に係る歯糸固定具を組立てた状態の斜視図である。前記主体１の前記半開放円形窪み１１内の固定軸１２には歯糸コイル３が収容され、前記自在カバー２はネジ２３及びバネ２４により固定軸１２の軸貫通孔１２１に固定され、且つ一側にある固定端２２によってカバー用溝１８に嵌めて固定されるので、その一端が開け自在な状態である。
【００１０】
また、主体１の中央にある前記つめ車台１４にはつめ車４が固定され、前記つめ車４の前後端に切り溝４１と突出ピン４２とが別々に設けてあり、前記つめ車４は突出ピン４２によってネジ４３でつめ車台１４の支援孔１５に固定される。
前記つめ車４は、つめ片５がその一側に合い、円形孔５１が開けてある前記つめ片５が前記円形孔５１によって一ネジ５２で円弧形溝１６に固定され、前記つめ片５がつめ車４に当接するので、つめ車４は間欠状態を呈する。
【００１１】
また、前記固定台１７は、その内側にぴったりと合う押止ブロック６が設けてあり、前記押止ブロック６は円形孔６１と貫通孔６２とを有し、前記押止ブロック６は円形孔６１によってリベット６３で固定台１７にある円形孔１７Ａに固定され、旋回自在な状態である。
【００１２】
また、前記糸切り片収容窪み１３には糸切り片７が設けてあり、前記糸切り片７には円形孔７１が開けてあり、前記糸切り片７は前記円形孔７１によってネジ７２で前記糸切り片収容窪み１３にロックされる。
図３は、本考案の一実施例において歯糸がコイル３から糸出孔１Ａを通過することを示す斜視図であり、図３Ａは図３の一部の拡大断面図であり、図４は本実施例において歯糸が糸出孔１Ａを通過した後、糸出溝１Ｄと、主体側面孔１Ｂと、固定台１７の貫通孔１Ｃとを順序に通過することを示す模式図であり、図４Ａは本実施例において歯糸が糸出孔１Ａを通過した後、糸出溝１Ｄと、主体側面孔１Ｂと、固定台１７の貫通孔１Ｃとを順序に通過することを示す模式図であり、図５は本実施例において歯糸が主体側面孔１Ｂと固定台貫通孔１Ｃとを通過した後、押止ブロック６の貫通孔６２を通過することを示す模式図であり、図５Ａは本実施例において歯糸が主体側面孔１Ｂと固定台貫通孔１Ｃとを通過した後、押止ブロック６の貫通孔６２を通過することを示す模式図であり、図５Ｂは本実施例において歯糸が押止ブロック６の貫通孔６２を通過することを示す拡大図である。
【００１３】
本実施例に係る歯糸固定具の使用方法は、まず、図４Ａと図４Ｂに示すように、糸案内ロッド８によって歯糸コイル３の歯糸３Ａを半開放円形窪み１１の糸出孔１Ａと糸出溝１Ｄとに通過させて主体１の側面まで引き出すと共に、前記糸案内ロッド８によって歯糸３Ａを主体側面孔１Ｂと、固定座１７にある貫通孔１Ｃとに通過させて、図５に示すように、歯糸３Ａを下へ引くと共に、押止ブロック６を上へ軽く押さえて、糸案内ロッド８を利用して歯糸３Ａを押止ブロック６の貫通孔６２に通過させる。そうすると、図５Ａと図６に示すように、歯糸３Ａが固定台１７と押止ブロック６の間で活動自在になり、また、図７と図７Ａに示すように、歯糸３Ａを後端にある歯糸台１０の外側の糸溝１０Ａ内に引いて歯糸台１０の二つの窪み１０Ｂと突出ピン１０Ｃとに当接し通過させて、歯糸３Ａをつめ車４の切り溝４１Ａに嵌めると、歯糸３Ａが緊迫状態になり、簡単に緩められない。
【００１４】
図８と図８Ａとを参照する。本実施例に係る歯糸固定具によって歯の間に挟まれる料理屑を除去しようとするときには、押止ブロック６の一端が固定台１７の内側の歯糸３Ａに当接するように、押止ブロック６を軽く押して、なお、つめ車４を軽く回すと、つめ車４とつめ片５とにより歯糸３Ａが緊迫になるので、歯糸台１０の二つの窪み１０Ｂの間に張っている歯糸３Ａによって料理屑を除去することが簡単になり、且つ歯糸３Ａの緊迫度をつめ車４により自由に調整することができる。
【００１５】
図９と図９Ａとを参照する。歯糸３Ａを更新しようとするときには、押止ブロック６の一端が歯糸３Ａから離れるように、押止ブロック６を軽く押すと、歯糸台１０の二つの窪み１０Ｂの間に張っている歯糸３Ａが緩められるようになり、図１０に示すように、緩めた歯糸３Ａをもっと前へ引くと、糸切り片によって、汚れた歯糸３Ａを切断することができる。
【００１６】
半開放円形窪み１１に設置される歯糸コイル３の歯糸３Ａが切れたら、自在カバー２を開けて歯糸コイル３を更新することができる。
【図面の簡単な説明】
【００１７】
【図１】本考案の一実施例による歯糸固定具を示す分解斜視図である。
【図２】本考案の一実施例による歯糸固定具を組立てた状態を示す斜視図である。
【図３】本考案の一実施例による歯糸固定具において歯糸がコイルから糸出孔を通過することを示す斜視図である。
【図３Ａ】図３の一部の拡大断面図である。
【図４】本考案の一実施例による歯糸固定具において歯糸が糸出孔を通過した後、糸出溝と、主体側面孔と、固定台の貫通孔とを順序に通過することを示す模式図である。
【図４Ａ】本考案の一実施例による歯糸固定具において歯糸が糸出孔を通過した後、糸出溝と、主体側面孔と、固定台の貫通孔とを順序に通過することを示す模式図である。
【図５】本考案の一実施例による歯糸固定具において歯糸が主体側面孔と固定台貫通孔とを通過した後、押止ブロックの貫通孔を通過することを示す模式図である。
【図５Ａ】本考案の一実施例による歯糸固定具において歯糸が主体側面孔と固定台貫通孔とを通過した後、押止ブロックの貫通孔を通過することを示す模式図である。
【図５Ｂ】本考案の一実施例による歯糸固定具において歯糸が押止ブロックの貫通孔を通過することを示す拡大図である。
【図６】本考案の一実施例による歯糸固定具において歯糸が主体側面孔と固定台貫通孔とを通過した後、押止ブロックの貫通孔を通過することを示す模式図である。
【図７】本考案の一実施例による歯糸固定具において歯糸が歯糸台の糸溝に設置されることを示す模式図である。
【図７Ａ】本考案の一実施例による歯糸固定具において歯糸が歯糸台の糸溝に設置されることを示す平面図である。
【図８】本考案の一実施例による歯糸固定具において歯糸が押止ブロックに固定されることを示す側面図である。
【図８Ａ】本考案の一実施例による歯糸固定具において歯糸が押止ブロックに固定されることを示す断面図である。
【図９】本考案の一実施例による歯糸固定具において歯糸を更新するために押止ブロックを緩めることを示す側面図である。
【図９Ａ】本考案の一実施例による歯糸固定具において歯糸を更新するために押止ブロックを緩めることを示す断面図である。
【図１０】本考案の一実施例による歯糸固定具において弛緩している歯糸を糸切り片へ引いて切ることを示す斜視図である。
【符号の説明】
【００１８】
１  円弧形主体、１Ａ  糸出孔、１Ｂ  主体側面孔、１Ｃ  貫通孔、１Ｄ  糸出溝、２  自在カバー、３  歯糸コイル、３Ａ  歯糸、４  つめ車、５  つめ片、６  押止ブロック、７  糸切り片、８  糸案内ロッド、１０  歯糸台、１０Ａ  糸溝、１０Ｂ  窪み、１０Ｃ  突出ピン、１１  半開放円形窪み、１２  固定軸、１３  糸切り片収容窪み、１４  つめ車台、１５  支援孔、１６  円弧形溝、１７  固定台、１７Ａ  固定孔、１８  カバー用溝、２１  カバー用孔、２２  固定端、２３  ネジ、２４  バネ、４１  切り溝端、４１Ａ  切り溝、４２  突起軸、４３  ネジ、５１  円形孔、５２  ネジ、６１  円形孔、６２  貫通孔、６３  リベット、７１  円形孔、７２  ネジ、１２１  軸貫通孔
【図１】
0003104916.tif 000003
【図２】
0003104916.tif 000004
【図３】
0003104916.tif 000005
【図３Ａ】
0003104916.tif 000006
【図４】
0003104916.tif 000007
【図４Ａ】
0003104916.tif 000008
【図５】
0003104916.tif 000009
【図５Ａ】
0003104916.tif 000010
【図５Ｂ】
0003104916.tif 000011
【図６】
0003104916.tif 000012
【図７】
0003104916.tif 000013
【図７Ａ】
0003104916.tif 000014
【図８】
0003104916.tif 000015
【図８Ａ】
0003104916.tif 000016
【図９】
0003104916.tif 000017
【図９Ａ】
0003104916.tif 000018
【図１０】
0003104916.tif 000019